(57)【要約】【課題】火災が発生した場合であっても、天井部を構成する断熱パネルの室内側に配置された化粧板が、断熱室内に剥落してしまうことを可及的防止することのできる化粧板の剥落防止構造を提供する。【解決手段】断熱材の表面に化粧板が貼着された断熱パネルにより、前記化粧板を室内側に配向させて組み立てた断熱室の天井部における前記化粧板の剥落防止構造であって、前記天井部は、複数枚の前記断熱パネルを面状に配置して構成したものであり、前記天井部の上方に前記断熱パネルの目地に沿って梁体を配設し、同梁体に前記断熱パネルの目地の交点にて前記天井部を貫通する棒状体を垂設すると共に、同棒状体の下端に、前記断熱パネルの角部を載置して前記化粧板を下方より支持する座板を配設した。【選択図】図８
2013096193.tif 000002
【特許請求の範囲】
【請求項１】
断熱材の表面に化粧板が貼着された断熱パネルにより、前記化粧板を室内側に配向させて組み立てた断熱室の天井部における前記化粧板の剥落防止構造であって、
前記天井部は、複数枚の前記断熱パネルを面状に配置して構成したものであり、
前記天井部の上方に前記断熱パネルの目地に沿って梁体を配設し、同梁体に前記断熱パネルの目地の交点にて前記天井部を貫通する棒状体を垂設すると共に、同棒状体の下端に、前記断熱パネルの角部を載置して前記化粧板を下方より支持する座板を配設したことを特徴とする化粧板の剥落防止構造。
【請求項２】
前記梁体は、２本の溝型鋼材のウェブ側同士を対向させて配置し、同ウェブ間に挿入されるスペーサーを備えたクリップ部材で間隙を形成しつつ両鋼材を一体的に挟持させて形成すると共に、
前記棒状体は、前記間隙に前記両鋼材との接触を避けて配設し、その上部を前記両鋼材間に架け渡した架橋部材に係止したことを特徴とする請求項１に記載の化粧板の剥落防止構造。
【請求項３】
前記断熱パネルの角部は、前記化粧板が予め一部切欠されており、露出した断熱材の面取りを行って前記座板に載置することを特徴とする請求項１又は請求項２に記載の化粧板の剥落防止構造。
【請求項４】
前記座板は平面視略円形であって、その円周縁部には少なくとも１／４円弧毎にマーカが形成されていることを特徴とする請求項１〜３いずれか１項に記載の化粧板の剥落防止構造。
【発明の詳細な説明】
【技術分野】
【０００１】
本発明は、化粧板の剥落防止構造に関する。
【背景技術】
【０００２】
従来、工場や研究所等には、断熱パネルを用いて組み立てた冷蔵室や冷凍室、クリーンルームなどの断熱室が設けられている場合がある。
【０００３】
このような断熱室の構築に用いられる断熱パネルの多くは、所定厚みを有する板状に形成した断熱材の表面に化粧板を貼着して構成しており、この化粧板の面（断熱材の表裏両面に化粧板が貼着されている場合はそのいずれかの面）を断熱室の室内側に向けて配設することで、室内外を断熱すると共に、室内側の美観を保つようにしている（例えば、特許文献１参照。）。
【先行技術文献】
【特許文献】
【０００４】
【特許文献１】特開２０１０−０９５９２６号公報
【発明の概要】
【発明が解決しようとする課題】
【０００５】
しかしながら、上記従来の断熱室では、火災が発生した際に、天井部を構成する断熱パネルから化粧板が比較的早期に剥落してしまうという問題があった。
【０００６】
このように化粧板の剥落が発生すると、消防活動の大きな妨げとなる場合がある。
【０００７】
本発明は、斯かる事情に鑑みてなされたものであって、火災が発生した場合であっても、天井部を構成する断熱パネルの室内側に配置された化粧板が、断熱室内に剥落してしまうことを可及的防止することのできる化粧板の剥落防止構造を提供する。
【課題を解決するための手段】
【０００８】
上記従来の課題を解決するために、請求項１に係る本発明では、化粧板の剥落防止構造において、断熱材の表面に化粧板が貼着された断熱パネルにより、前記化粧板を室内側に配向させて組み立てた断熱室の天井部における前記化粧板の剥落防止構造であって、前記天井部は、複数枚の前記断熱パネルを面状に配置して構成したものであり、前記天井部の上方に前記断熱パネルの目地に沿って梁体を配設し、同梁体に前記断熱パネルの目地の交点にて前記天井部を貫通する棒状体を垂設すると共に、同棒状体の下端に、前記断熱パネルの角部を載置して前記化粧板を下方より支持する座板を配設することとした。
【０００９】
また、請求項２に係る本発明では、請求項１に記載の化粧板の剥落防止構造において、前記梁体は、２本の溝型鋼材のウェブ側同士を対向させて配置し、同ウェブ間に挿入されるスペーサーを備えたクリップ部材で間隙を形成しつつ両鋼材を一体的に挟持させて形成すると共に、前記棒状体は、前記間隙に前記両鋼材との接触を避けて配設し、その上部を前記両鋼材間に架け渡した架橋部材に係止したことに特徴を有する。
【００１０】
また、請求項３に係る本発明では、請求項１又は請求項２に記載の化粧板の剥落防止構造において、前記断熱パネルの角部は、前記化粧板が予め一部切欠されており、露出した断熱材の面取りを行って前記座板に載置することに特徴を有する。
【００１１】
また、請求項４に係る本発明では、請求項１〜３いずれか１項に記載の化粧板の剥落防止構造において、前記座板は平面視略円形であって、その円周縁部には少なくとも１／４円弧毎にマーカが形成されていることに特徴を有する。
【発明の効果】
【００１２】
請求項１に係る本発明によれば、断熱材の表面に化粧板が貼着された断熱パネルにより、前記化粧板を室内側に配向させて組み立てた断熱室の天井部における前記化粧板の剥落防止構造であって、前記天井部は、複数枚の前記断熱パネルを面状に配置して構成したものであり、前記天井部の上方に前記断熱パネルの目地に沿って梁体を配設し、同梁体に前記断熱パネルの目地の交点にて前記天井部を貫通する棒状体を垂設すると共に、同棒状体の下端に、前記断熱パネルの角部を載置して前記化粧板を下方より支持する座板を配設したため、火災が発生した場合であっても、天井部を構成する断熱パネルの室内側に配置された化粧板が、断熱室内に剥落してしまうことを可及的防止することのできる化粧板の剥落防止構造を提供することができる。
【００１３】
また、請求項２に係る本発明によれば、前記梁体は、２本の溝型鋼材のウェブ側同士を対向させて配置し、同ウェブ間に挿入されるスペーサーを備えたクリップ部材で間隙を形成しつつ両鋼材を一体的に挟持させて形成すると共に、前記棒状体は、前記間隙に前記両鋼材との接触を避けて配設し、その上部を前記両鋼材間に架け渡した架橋部材に係止したため、断熱性の低下を可及的防止することができる。
【００１４】
また、請求項３に係る本発明によれば、前記断熱パネルの角部は、前記化粧板が予め一部切欠されており、露出した断熱材の面取りを行って前記座板に載置することとしたため、化粧板の剥落防止構造の施工を容易とすることができる。
【００１５】
また、請求項４に係る本発明によれば、前記座板は平面視略円形であって、その円周縁部には少なくとも１／４円弧毎にマーカを形成したため、断熱パネルを整然と配置することができ、また、棒状体を交点に可及的正確に配置させることができる。
【図面の簡単な説明】
【００１６】
【図１】本実施形態に係る化粧板の剥落防止構造を備えた断熱室の外観を示した斜視図である。
【図２】断熱室の天井裏構造を示した説明図である。
【図３】天井パネルの構成及び使用手順を示した説明図である。
【図４】側壁部上に載置される天井部の四辺部分の構造を示した説明図である。
【図５】梁体の構成を示した説明図である。
【図６】梁体吊設部の構成を示した説明図である。
【図７】本実施形態に係る化粧板の剥落防止構造の構成を示した斜視図である。
【図８】本実施形態に係る化粧板の剥落防止構造の分解斜視図である。
【図９】本実施形態に係る化粧板の剥落防止構造の断面を示した説明図である。
【図１０】変形例に係る化粧板の剥落防止構造の構成を示した説明図である。
【発明を実施するための形態】
【００１７】
本実施形態に係る化粧板の剥落防止構造は、断熱材の表面に化粧板が貼着された断熱パネルにより、前記化粧板を室内側に配向させて組み立てた断熱室の天井部における前記化粧板の剥落防止構造であって、前記天井部は、複数枚の前記断熱パネルを面状に配置して構成したものであり、前記天井部の上方に前記断熱パネルの目地に沿って梁体を配設し、同梁体に前記断熱パネルの目地の交点にて前記天井部を貫通する棒状体を垂設すると共に、同棒状体の下端に、前記断熱パネルの角部を載置して前記化粧板を下方より支持する座板を配設したことを特徴とする化粧板の剥落防止構造を提供するものである。
【００１８】
ここで断熱室は、断熱パネルによって囲われた部屋であれば特に限定されるものではなく、例えば、冷蔵室や冷凍室、クリーンルーム等の他、冷暖房効率を重視して構築された居室や、恒温性を重視して構築された実験室等と解することができる。
【００１９】
また、本実施形態において断熱室の少なくとも天井部の構築に用いられる断熱パネルは、化粧板を備えるものである。具体的には、板状に形成された断熱材の表裏少なくともいずれかの面に化粧板が貼着されたものである。本実施形態に係る化粧板の剥落防止構造は、天井部の断熱パネルの屋内側に配置された化粧板の剥落の防止を目的の一つとしている。
【００２０】
断熱パネルを構成する化粧板の素材は特に限定されるものではなく、例えば、金属や樹脂、木質素材や紙又はこれらの複合素材と解することができる。
【００２１】
特に金属製の化粧板は、断熱パネルの耐火性を高めるために広く用いられており、また、断熱室の強度向上や室内の熱効率（冷却効率）の向上にも貢献するものであるが、比較的重量が大きいため、火災発生による天井部からの剥落が懸念されている。
【００２２】
一方、本実施形態に係る化粧板の剥落防止構造は、このような金属製の化粧板に対して極めて有効に機能するものである。
【００２３】
なお、本実施形態に係る化粧板の剥落防止構造は、必ずしも天井部を構成する全ての断熱パネルからの化粧板の剥落を防止するものではない。
【００２４】
換言すれば、天井部を構成する断熱パネルのうち、一部の断熱パネルの剥落を防止するために本構造を適用しても良い。このような態様の例としては、例えば、消火活動に従事する者のための通路確保を挙げることができる。
【００２５】
また、断熱材は熱の伝搬を効果的に遮断できる素材であれば特に限定されるものではなく、例えば、樹脂発泡体を用いることができる。このような樹脂発泡体の好適な一例としては、ポリスチレン樹脂をブタンで発泡させて形成したJIS A 9511の燃焼性規格に適合する難燃性の高い株式会社カネカ製のカネライトフォームや、旭化成株式会社製の熱硬化性樹脂パネルを挙げることができる。
【００２６】
また、本実施形態に係る化粧板の剥落防止構造において、天井部は、複数枚の断熱パネルを面状に配置して構成したものである。これらの断熱パネルは、互いに連結させて面状に並設したものであっても良い。
【００２７】
そして、この天井部の上方、すなわち、天井裏側には、面状に配置した断熱パネルの境目である目地に沿って梁体を配設している。なお、この梁体は、必ずしも全ての目地に配設する必要はない。
【００２８】
梁体には、断熱パネルの目地の交点にて天井部を貫通する棒状体を下方へ向けて垂設している。棒状体の素材は特に限定されるものではないが、熱伝導率の低いステンレス製のものを好適に採用することができる。
【００２９】
また、目地の交点は、例えば断熱パネルとして平面視矩形状のものを用いた場合には、目地が十字状に交叉する部分であっても良く、また、目地がＴ字状に交叉する部分であっても良い。さらに付言すれば、目地がＬ字状に交叉する部分であっても良い。
【００３０】
ただし、これらは矩形状の断熱パネルを用いた場合であって、平面視においてその他の多角形状を有する断熱パネルを用いた場合にはこの限りではない。具体例を挙げれば、平面視正三角形の断熱パネルを用いた場合には、これらの複数枚の断熱パネルの角部がアスタリスク状に集合した点を目地の交点と解することもできる。
【００３１】
天井部を貫通させた棒状体の下端部（室内側端部）には、天井部と平行な座板を配設しており、断熱パネルの角部を載置して化粧板を下方より支持することとしている。
【００３２】
このような構成とすることにより、火災が発生した場合であっても、天井部を構成する断熱パネルの室内側に配置された化粧板が、断熱室内に剥落してしまうことを可及的防止することができる。
【００３３】
また、本実施形態に係る化粧板の剥落防止構造では、梁体は、２本の溝型鋼材のウェブ側同士を対向させて配置し、同ウェブ間に挿入されるスペーサーを備えたクリップ部材で間隙を形成しつつ両鋼材を一体的に挟持させて形成しても良い。
【００３４】
溝型鋼材は、断面視略コ字状の形状を有する鋼材であり、例えば、溝型鋼、軽量溝型鋼、リップ溝型鋼等を挙げることができるが、中でもリップ溝型鋼を好適に用いることができる。
【００３５】
クリップ部材は、ウェブ側同士を対向させた２本の溝型鋼材を、スペーサーにより所定距離だけ離隔させ、ウェブ間に間隙を形成させた状態で一体的に挟持するための部材である。
【００３６】
そして、前述の棒状体は、間隙に両鋼材との接触を避けて配設し、その上部を両鋼材間に架け渡した架橋部材に係止するようにしている。付言すれば、間隙は棒状体の直径よりも大として、両溝型鋼材のウェブに接触させることなく、棒状体を間隙に配置可能としている。
【００３７】
このような構成とすることで、断熱室内外のヒートブリッジの発生をできるだけ防止することができ、断熱性の向上を図ることができる。
【００３８】
特に、断熱室の室内温度を気温よりも低い温度に保つ場合には、結露を避けるために、室内外の熱伝導を助長するヒートブリッジ構造を可及的排除する必要がある。したがって、天井部を貫通する部材の数は少なく、また、部材の断面積や熱伝導率は極力小さくするとともに、天井部を貫通する部材と断熱室外に配置された部材との接触面積を小さくするのが望ましい。
【００３９】
一方、本実施形態に係る化粧板の剥落防止構造では、天井部を貫通する部材を目地の交点あたり棒状体１本とし、また、棒状であるため断面積が小さく、ステンレスにより形成することで熱伝導率を極力小さくすることができ、しかも、棒状体は鋼材との接触を避けて架橋部材にて梁体に係止する構成としたため、断熱室外に配置された部材との接触面積が極めて小さい。
【００４０】
このような構成により、本実施形態に係る化粧板の剥落防止構造では、結露についても効果的に防止することができる。
【００４１】
天井部に使用される断熱パネルの角部は、化粧板を予め一部切欠させておき、露出した断熱材の面取りを行って座板に載置するようにしても良い。
【００４２】
換言すれば、座板に配置する断熱パネルの角部は、予め化粧板を一部切欠させておくのが好ましい。ただし、必ずしも断熱パネルの全ての角部の化粧板を切欠させる必要はない。少なくとも座板に載置する角部、又は座板に載置する角部のみについて化粧板を切欠させておくのが望ましい。
【００４３】
このような構成としておくことにより、天井部を施工する際には、天井部を棒状体で貫通させるにあたり、金属等で構成された化粧板の切断を行う必要がなく、カッター等により断熱材の切断を行うだけで容易に面取りを行って棒状体の逃げ部を形成することができる。
【００４４】
また、座板は平面視略円形であって、その円周縁部には少なくとも１／４円弧毎にマーカを形成しても良い。
【００４５】
このような構成を備えることにより、座板にパネルの角部を整然と配置することができ、天井部を構成する断熱パネルがずれてしまうことを防止することができる。
【００４６】
以下、本実施形態に係る化粧板の剥落防止構造について、図面を参照しながら更に説明する。
【００４７】
図１は本実施形態に係る化粧板の剥落防止構造Ａを備えた断熱室１０の外観を示した斜視図である。なお、本実施形態において断熱室１０は、工場内に冷蔵室として構築されたものとして説明する。
【００４８】
断熱室１０は、図１に示すように、工場の床面１２に複数枚の断熱パネル１１を立設してなる側壁部１３と、同側壁部１３の上部開口を閉塞するように断熱パネル１１を面状に配置して構成した天井部１４とを備えている。なお、以下の説明において、便宜上、側壁部１３を構成する断熱パネル１１を側部パネル１１ａ、天井部１４を構成する断熱パネル１１を天井パネル１１ｂともいう。
【００４９】
側壁部１３は、矩形状の側部パネル１１ａを複数枚組合せながら立設して構成した断熱室１０の側壁をなす部位であり、作業者が断熱室１０内に出入りするための出入口１８が設けられている。また、出入口１８の開口部には断熱扉１８ａを開閉可能に配設している。なお、以下の説明では、出入口１８が設けられた側壁部１３を前壁１３ａ、前壁１３ａに対向する側壁部１３を後壁１３ｂといい、前壁１３ａ−後壁１３ｂ方向を奥行き方向と称する。併せて、断熱室１０外から出入口１８を介して奥行き方向を臨むとき、右手側に位置する側壁部１３を右側壁１３ｃといい、左手側に位置する側壁部１３を左側壁１３ｄという。また、右側壁１３ｃ−左側壁１３ｄ方向を幅方向と称することとする。
【００５０】
天井部１４は、所謂吊り天井様の構造としており、その四辺が側壁部１３上に載置された状態で配置されている。また、図２に示すように、天井部１４は、合計９枚の天井パネル１１ｂを用いて構成している。なお、図２は断熱室１０の天井裏構造を示した説明図である。
【００５１】
具体的には、天井部１４は、幅方向略中央に配設された平面視長方形状の長方形パネル１４ａと、同長方形パネル１４ａの両短辺側に配設された平面視略正方形状の正方形パネル１４ｂとの３枚の天井パネル１１ｂを、奥行き方向に３セット連結させて配置して構成している。したがって、天井部１４には、目地２０が＃状に形成されている。
【００５２】
これら天井パネル１１ｂは、図３（ａ）及び図３（ｂ）に示すようには、平面視矩形状に形成した断熱材２５の表裏両面に金属製の化粧板２６を貼着させて構成している。なお、図３は天井パネル１１ｂの構成及び使用手順を示した説明図であり、一例として、図２に示す天井部１４の真ん中の長方形パネル１４ａを示している。
【００５３】
天井部１４は、図３（ｂ）に示すように、長方形パネル１４ａや正方形パネル１４ｂ等の天井パネル１１ｂ同士を目地スプライン２７を介して連結させて構成している。
【００５４】
具体的には、天井パネル１１ｂの四辺の端面部分には、断熱材２５を露出させた箇所に、各辺の伸延方向に沿って溝状の接続凹部２８が刻設されており、この接続凹部２８内に接着剤等を付着させた目地スプライン２７を挿入し、連結する天井パネル１１ｂの端面同士を突き合わせることで連結可能としている。
【００５５】
この目地スプライン２７は、フェノール樹脂やポリカーボネート樹脂、又はアルミニウムなどの金属にて形成したものであり、火災の際に目地２０から火の手が上がるのを防止すると共に、気密性を高めつつ、天井パネル１１ｂのつなぎ目における断熱性の低下を可及的防止するようにしている。
【００５６】
また、図３（ａ）に示すように、天井パネル１１ｂの四隅には、化粧板２６の角部を切欠させた切欠部２９が形成されている。
【００５７】
この切欠部２９では、図３（ｃ）の左図に示すように、断熱材２５の角部が露出した状態となっており、右図に示すようにカッター３０等の切断具により容易に面取り可能（面取部２９ａを形成可能）としている。
【００５８】
これは後に詳述する化粧板の剥落防止構造Ａにおいて、棒状体６０を天井部１４へ貫通させ易くするための構成であり、切欠部２９が形成されていない化粧板２６に覆われた角部を有する天井パネル１１ｂを加工する場合に比して、面取りを容易として、化粧板の剥落防止構造Ａの施工を簡便とすることができる。
【００５９】
図４は側壁部１３上に載置される天井部１４の四辺部分の構造を示した説明図である。
【００６０】
図４（ａ）にも示すように、側部パネル１１ａと天井パネル１１ｂとには、床面１２より垂直に立設された側部パネル１１ａの上部端面に天井パネル１１ｂを載置可能とするための係合構造が形成されている。
【００６１】
この係合構造は、側部パネル１１ａの上部端面に形成された側部側係合部１９ａと、天井部１４の四辺を構成する天井パネル１１ｂの端面に形成された天井側係合部１９ｂと、側部側係合部１９ａ及び天井側係合部１９ｂとの間に介設される断熱材保護部材１９ｃと、カバー部材１９ｄとで構成される。
【００６２】
側部側係合部１９ａには、側部パネル１１ａの高さ方向の最高部である第１載置面２２ａと、同第１載置面２２ａよりも室内寄りの低い位置に形成された第２載置面２２ｂとが段差部を介して階段状に設けられている。
【００６３】
また、天井側係合部１９ｂには、室内側の化粧板２６及び断熱材２５を天井パネル１１ｂの厚み方向に階段状に一部除去して形成した切欠平面部２３が形成されている。
【００６４】
断熱材保護部材１９ｃは、側部側係合部１９ａに天井側係合部１９ｂを載置する際に、端面に露出している断熱材２５が互いの接触により傷つかないように保護するための部材であり、側部側係合部１９ａの階段形状に沿った断面を備えている。なお、この断熱材保護部材１９ｃは、不要の際は介設しなくても良く、必要に応じて用いられる部材である。
【００６５】
カバー部材１９ｄは、断面視Ｌ字状の部材であり、側部パネル１１ａと天井パネル１１ｂとを連結して角部を形成しつつ、この角部を保護するための部材である。
【００６６】
そして図４（ｂ）に示すように、側部側係合部１９ａに断熱材保護部材１９ｃを配置し、第１載置面２２ａに天井側係合部１９ｂの切欠平面部２３を対向させつつ配置し、カバー部材１９ｄをネジ１９ｅにより装着することで、側部パネル１１ａに天井パネル１１ｂを載置し固定するようにしている。
【００６７】
また、この係合構造により、天井部１４の四辺部分に相当する天井パネル１１ｂの室内側の化粧板２６は、断熱材保護部材１９ｃを介して第２載置面２２ｂにより支持されることとなる。
【００６８】
図２の説明に戻り、天井部１４の上方には、奥行き方向に形成された目地２０上に沿って梁体１５が配設されている。
【００６９】
梁体１５は、図５（ａ）に示すように、２本の溝型鋼材３１と、同溝型鋼材３１を２本まとめて挟持して一体とするためのクリップ部材３２と、同クリップ部材３２を溝型鋼材３１に固定するネジ３３とで構成している。なお、図中符号３４は、梁体１５と天井部１４との間に介設されるスポンジパッキンである。このスポンジパッキン３４は、天井裏において万が一結露が発生した場合に、水分を吸収するとともに、目地２０を介して結露水が断熱室１０の室内に浸入するのを防止するためのものである。スポンジパッキン３４は、梁体１５と天井部１４との間のみに配置しても良く、また、梁体１５を配置しない目地２０も含めて配置しても良い。
【００７０】
溝型鋼材３１は、長板状のウェブ部３５と、ウェブ部３５の上下端部より略直角に折曲させて形成したフランジ部３６と、フランジ部３６の先端をさらに略直角に折曲させて形成したリップ部３７とを備えた、断面視略Ｃ型の所謂リップ溝型鋼である。梁体１５の構成においては、この溝型鋼材３１を２本使用し、それぞれの溝型鋼材３１のウェブ部３５同士を対向させつつ、次に説明するクリップ部材３２により離隔させて一体的に形成している。
【００７１】
クリップ部材３２は、図５（ｂ）に示すように、一枚の金属板を折曲して形成したものであり、断面視略Ｍ字型の構造を有している。なお、図５（ｂ）は、クリップ部材３２の上面図、正面図、及び右側面図を示している。
【００７２】
すなわち、クリップ部材３２は、金属板の略中央部を凹型に折曲させて形成したスペーサー部３８と、同スペーサー部３８の左右に延設される平坦状の第１平坦部３９ａ及び第２平坦部３９ｂと、第１平坦部３９ａ及び第２平坦部３９ｂの側端部から下方に向けて延設した垂直部４０と、同垂直部４０の先端を内方へ鋭角に折曲して形成した係止部４１とを備えている。
【００７３】
スペーサー部３８は、図５（ａ）に示したように、ウェブ部３５同士を対向させて配置した２本の溝型鋼材３１の間に挿入して、溝型鋼材３１の間に間隙を形成するための部位であり、同スペーサー部３８の幅Ｌ（図５（ｂ）参照）は、後述の棒状体の直径よりも広幅として間隙に挿通した際に、棒状体がウェブ部３５に接触しないようにしている。
【００７４】
第１平坦部３９ａ及び第２平坦部３９ｂは、溝型鋼材３１のフランジ部３６の幅と略同幅に形成しており、溝型鋼材３１のリップ部３７に沿って垂直部４０が配置されるよう構成している。
【００７５】
垂直部４０は、溝型鋼材３１のリップ部３７と略同じ長さに形成しており、同垂直部４０の端部に形成した係止部４１が、リップ部３７の端部に係止されるよう形成している。
【００７６】
また、垂直部４０には、溝型鋼材３１のリップ部３７へネジ３３を螺入するためのねじ穴４０ａが穿設されており、ネジ３３の位置決めが容易となるようにしている。
【００７７】
また、垂直部４０と平坦部３９とが成す角度αは、自由状態において直角よりも小さい角度となるように形成しており、本実施形態では89度としている。ただし、この角度は特に限定されるものではなく、好ましくは鋭角、より好ましくは89〜85度の角度とすることができる。角度αが直角又は鈍角となると、溝型鋼材３１からクリップ部材３２が外れやすくなるため好ましくない。また、角度αが85度を下回るとクリップ部材３２の溝型鋼材３１への取付が困難となるため好ましくない。
【００７８】
また、垂直部４０と係止部４１とが成す角度βは、70±5度〜70±10度の範囲としており、係止部４１がリップ部３７の端部から容易に外れないようにしている。また、係止部４１の長さは、溝型鋼材３１の厚みよりもやや長くしている。
【００７９】
そして、梁体１５は、このような構成を備えたクリップ部材３２で、２本の溝型鋼材３１を上下両方から挟持することにより、一体的に形成している。
【００８０】
またこの梁体１５は、図１にも示したように、工場建屋の構造材として予め配設されている構造梁１６（図１中において一点鎖線で示す）に梁体吊設部１７を介して吊設されている。
【００８１】
具体的には、図６に示すように、梁体吊設部１７は、ネジ５１ｂにより構造梁１６に固定される側面視略コ字状の吊金具５１と、同吊金具５１のネジ孔５１ａに螺嵌される第１全ネジボルト５２ａと、第１全ネジボルト５２ａの下端に螺着される長ナット５３と、長ナット５３の下端に螺着される第２全ネジボルト５２ｂと、第２全ネジボルト５２ｂの下端に螺着されるターンバックル５４と、ターンバックル５４の下端に螺着されるアイボルト５５とを備えており、同アイボルト５５の下端には、バックル吊金具５６を介して梁体１５を取り付けている。
【００８２】
吊金具５１は、同吊金具５１に穿設された孔部５１ｃに螺嵌したネジ５１ｂにより、構造梁１６（本実施形態ではＨ形鋼）のフランジ部分に固定される。
【００８３】
第１全ネジボルト５２ａ及び第２全ネジボルト５２ｂは、長ナット５３を中心に上下に１本ずつ設けられており、長ナット５３を回動させることにより天井部１４からの高さを調整可能としている。
【００８４】
ターンバックル５４は、上方より第２全ネジボルト５２ｂが螺挿され、下方より後述するアイボルト５５螺挿されることにより、全ネジボルト５２とアイボルト５５とを連結する部材である。
【００８５】
アイボルト５５は、上部がターンバックル５４に螺挿され、下部が六角ボルトによって、２本のバックル吊金具５６が連結されている。バックル吊金具５６は、その下端部に折返部５６ａが形成されており、それぞれの折返部５６ａを梁体１５を構成する溝型鋼材３１のリップ部３７に係止して、梁体１５全体を吊下している。
【００８６】
このように、梁体吊設部１７は、天井部１４や梁体１５を吊下しつつ、その重量を構造梁１６に伝える役割を有している。
【００８７】
そして、本実施形態に特徴的には、図１及び図２に示すように、幅方向への目地２０と、奥行き方向への目地２０とが交叉する目地交差部２１に、化粧板の剥落防止構造Ａを備えており、天井パネル１１ｂを支えつつ、室内側に配置された化粧板２６の剥落を防止するよう構成している。
【００８８】
この剥落防止構造Ａの全体構成を図７及び図８に示す。図７は、本実施形態に係る化粧板の剥落防止構造Ａの構成を示した斜視図であり、図８は本実施形態に係る化粧板の剥落防止構造Ａの分解斜視図である。
【００８９】
図７及び図８に示すように、剥落防止構造Ａは、天井パネル１１ｂの目地２０に沿って配設された梁体１５と、この梁体１５から下方へ伸延させ目地交差部２１にて天井部１４を貫通する棒状体６０と、室内側に突出させた同棒状体６０の下端部に配設した座板６１とを備えている。なお、図８において符号６３は、室内側に露出する座板６１を隠すためのマスクプレートである。
【００９０】
棒状体６０は、長手方向全体に亘って雄ネジが形成されており、図９（ａ）及び図９（ｂ）にも示すように、上端部を、梁体１５の上部に載置した架橋部材６２の孔部６２ａに挿通させてワッシャー６２ｃ及びナット６２ｂにて係止する一方、下端部を座板６１の中央部に穿設された連結孔６１ａに連結させた状態としている。
【００９１】
また、棒状体６０は、その直径を、クリップ部材３２のスペーサー部３８の幅Ｌよりも小さくしており、梁体１５の間隙を挿通させた際に、各ウェブ部３５と接触しないよう構成している。
【００９２】
また、棒状体６０は、天井パネル１１ｂの貫通部分において、目地交差部２１に設けた貫通空間部６９を挿通させるようにしている。
【００９３】
この貫通空間部６９は、図９（ｂ）に示すように、天井パネル１１ｂの角部に形成した面取部２９ａを会合させて形成した空間であり、棒状体６０が貫通空間部６９の略中央部に位置するよう配して、各天井パネル１１ｂに棒状体６０が接触しないようにしている。
【００９４】
架橋部材６２は、図９（ａ）に示すように、梁体１５の幅Ｐよりも僅かに長尺とした平坦部６２ｄの左右両側を折曲させて折曲部６２ｂを形成している。この折曲部６２ｂは、梁体１５上に載置した架橋部材６２が、棒状体６０を中心に梁体１５に対して回転するのを防止する役割を担うものである。
【００９５】
また、座板６１は、図９（ｂ）に示すように、平面視略円形状としており、その中央部に棒状体６０を螺入可能とすべく、内周面に雌ネジが形成された連結孔６１ａが穿設されている。この座板６１に螺入される棒状体６０の下端部は、必要に応じて溶接されても良い。なお図９（ｂ）は、室内側から天井部１４を見上げたときの座板６１を示しており、マスクプレート６３は省略している。
【００９６】
また、座板６１の円周縁部には、１／４円弧毎に切欠状のマーカ６４を形成している。このマーカ６４は、目地交差部２１に集合する各目地２０に合わせることにより、それぞれの天井パネル１１ｂを整然と配置させることができる。
【００９７】
さらに、各マーカ６４間の略中央部で座板６１のやや中心寄りの位置には、ネジ孔６５が穿設されており、同ネジ孔６５からネジ６６を螺入して座板６１上に載置した天井パネル１１ｂを固定するとともに、同天井パネル１１ｂの室内側の化粧板２６を支持している。
【００９８】
したがって、火災が発生した場合であっても、天井パネル１１ｂの室内側の化粧板２６が、断熱室１０内に剥落してしまうことを可及的防止することができる。
【００９９】
上述してきたように、本実施形態に係る化粧板の剥落防止構造Ａによれば、断熱材（例えば、断熱材２５）の表面に化粧板（例えば、化粧板２６）が貼着された断熱パネル（例えば、天井パネル１１ｂ）により、前記化粧板を室内側に配向させて組み立てた断熱室（例えば、断熱室１０）の天井部（例えば、天井部１４）における前記化粧板の剥落防止構造（例えば、化粧板の剥落防止構造Ａ）であって、前記天井部は、複数枚の前記断熱パネルを面状に配置して構成したものであり、前記天井部の上方に前記断熱パネルの目地（例えば、目地２０）に沿って梁体（例えば、梁体１５）を配設し、同梁体に前記断熱パネルの目地の交点（例えば、目地交差部２１）にて前記天井部を貫通する棒状体（例えば、棒状体６０）を垂設すると共に、同棒状体の下端に、前記断熱パネルの角部を載置して前記化粧板を下方より支持する座板（例えば、座板６１）を配設したため、火災が発生した場合であっても、天井部を構成する断熱パネルの室内側に配置された化粧板が、断熱室内に剥落してしまうことを可及的防止することのできる化粧板の剥落防止構造を提供することができる。
【０１００】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【０１０１】
例えば、本実施形態に係る剥落防止構造Ａでは、梁体１５の間隙に棒状体６０を非接触状態で挿通させることにより断熱性の低下を防止しているが、更なる防止策として、剥落防止構造Ａの天井裏部分を図１０に示す如く発泡樹脂６７等によって蟻塚状の被覆部６８を形成しても良い。
【符号の説明】
【０１０２】
１０  断熱室
１１  断熱パネル
１４  天井部
１５  梁体
２０  目地
２１  目地交差部
２５  断熱材
２６  化粧板
２９  切欠部
２９ａ  面取部
３１  溝型鋼材
３２  クリップ部材
３５  ウェブ部
３８  スペーサー部
６０  棒状体
６１  座板
６２  架橋部材
６４  マーカ
Ａ  化粧板の剥落防止構造
【図１】
2013096193.tif 000003
【図２】
2013096193.tif 000004
【図３】
2013096193.tif 000005
【図４】
2013096193.tif 000006
【図５】
2013096193.tif 000007
【図６】
2013096193.tif 000008
【図７】
2013096193.tif 000009
【図８】
2013096193.tif 000010
【図９】
2013096193.tif 000011
【図１０】
2013096193.tif 000012
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
断熱材の表面に化粧板が貼着された断熱パネルにより、前記化粧板を室内側に配向させて組み立てた断熱室の天井部における前記化粧板の剥落防止構造であって、
前記天井部は、複数枚の前記断熱パネルを面状に配置して構成したものであり、
前記天井部の上方に前記断熱パネルの目地に沿って梁体を配設し、同梁体に前記断熱パネルの目地の交点にて前記天井部を貫通する棒状体を垂設すると共に、同棒状体の下端に、前記断熱パネルの角部を載置して前記化粧板を下方より支持する座板を配設すると共に、
前記梁体は、２本のリップ溝型鋼材のウェブ側同士を対向させて配置し、同ウェブ間に挿入されるスペーサー部と同スペーサー部の両側に平坦部及び垂直部を介して設けられ前記リップ溝型鋼材のリップ部に係止されるよう形成した係止部とを備えたクリップ部材で、間隙を形成しつつ両鋼材を上下両方から挟持させて一体的に形成し、
前記棒状体は、前記間隙に前記両鋼材との接触を避けて配設し、その上部を前記両鋼材間に架け渡した架橋部材に係止したことを特徴とする化粧板の剥落防止構造。
【請求項２】
前記リップ溝型鋼材は、長板状のウェブ部と、同ウェブ部の上下端部より略直角に折曲させて形成したフランジ部と、同フランジ部の先端をさらに略直角に折曲させて形成したリップ部とを備える一方、
前記クリップ部材は、金属板の略中央部を凹型に折曲させて形成したスペーサー部と、同スペーサー部の左右に延設され前記フランジ部の幅と略同幅に形成した平坦部と、同平坦部の側端部から下方に向けて前記リップ部と略同じ長さに延設した垂直部と、同垂直部の先端を内方へ鋭角に折曲して形成した係止部と、を備える断面視略Ｍ字型に形成したものであり、
前記梁体は、前記２本のリップ溝型鋼材のウェブ部間に前記クリップ部材のスペーサー部を挿入し、前記クリップ部材の前記垂直部を前記溝型鋼材のリップ部に沿うように配置して前記係止部を前記リップ部の端部に係止させ、前記垂直部に穿設したねじ穴を介して前記溝型鋼材のリップ部にネジを螺入することにより、前記２本のリップ溝型鋼材を前記クリップ部材にて一体的に構成したことを特徴とする請求項１に記載の化粧板の剥落防止構造。
【請求項３】
前記梁体は建屋の構造材に梁体吊設部を介して吊設されたものであり、同梁体吊設部は、前記断熱室の天井部を貫通する棒状体に対し、前記梁体上において離隔した位置に係止させていることを特徴とする請求項１又は請求項２に記載の化粧板の剥落防止構造。
【請求項４】
前記架橋部材は、前記梁体の幅よりも長尺とした平坦部の左右両側を折曲させて形成した折曲部を有し、同架橋部材が前記棒状体を中心に梁体に対して回転するのを防止したことを特徴とする請求項１〜３いずれか１項に記載の化粧板の剥落防止構造。
【請求項５】
前記断熱パネルの角部は、前記化粧板が予め一部切欠されており、露出した断熱材の面取りを行って前記座板に載置することを特徴とする請求項１〜４いずれか１項に記載の化粧板の剥落防止構造。
【請求項６】
前記座板は平面視略円形であって、その円周縁部には少なくとも１／４円弧毎に切欠状のマーカが形成されていることを特徴とする請求項１〜５いずれか１項に記載の化粧板の剥落防止構造。
【手続補正２】
【補正対象書類名】明細書
【補正対象項目名】０００８
【補正方法】変更
【補正の内容】
【０００８】
上記従来の課題を解決するために、請求項１に係る本発明では、化粧板の剥落防止構造において、断熱材の表面に化粧板が貼着された断熱パネルにより、前記化粧板を室内側に配向させて組み立てた断熱室の天井部における前記化粧板の剥落防止構造であって、前記天井部は、複数枚の前記断熱パネルを面状に配置して構成したものであり、前記天井部の上方に前記断熱パネルの目地に沿って梁体を配設し、同梁体に前記断熱パネルの目地の交点にて前記天井部を貫通する棒状体を垂設すると共に、同棒状体の下端に、前記断熱パネルの角部を載置して前記化粧板を下方より支持する座板を配設すると共に、前記梁体は、２本のリップ溝型鋼材のウェブ側同士を対向させて配置し、同ウェブ間に挿入されるスペーサー部と、同スペーサー部の両側に平坦部及び垂直部を介して設けられ前記リップ溝型鋼材のリップ部に係止されるよう形成した係止部とを備えたクリップ部材で、間隙を形成しつつ両鋼材を上下両方から挟持させて一体的に形成し、前記棒状体は、前記間隙に前記両鋼材との接触を避けて配設し、その上部を前記両鋼材間に架け渡した架橋部材に係止した。
また、請求項２に係る本発明では、請求項１に記載の化粧板の剥落防止構造において、前記リップ溝型鋼材は、長板状のウェブ部と、同ウェブ部の上下端部より略直角に折曲させて形成したフランジ部と、同フランジ部の先端をさらに略直角に折曲させて形成したリップ部とを備える一方、前記クリップ部材は、金属板の略中央部を凹型に折曲させて形成したスペーサー部と、同スペーサー部の左右に延設され前記フランジ部の幅と略同幅に形成した平坦部と、同平坦部の側端部から下方に向けて前記リップ部と略同じ長さに延設した垂直部と、同垂直部の先端を内方へ鋭角に折曲して形成した係止部と、を備える断面視略Ｍ字型に形成したものであり、前記梁体は、前記２本のリップ溝型鋼材のウェブ部間に前記クリップ部材のスペーサー部を挿入し、前記クリップ部材の前記垂直部を前記溝型鋼材のリップ部に沿うように配置して前記係止部を前記リップ部の端部に係止させ、前記垂直部に穿設したねじ穴を介して前記溝型鋼材のリップ部にネジを螺入することにより、前記２本のリップ溝型鋼材を前記クリップ部材にて一体的に構成したことに特徴を有する。
【手続補正３】
【補正対象書類名】明細書
【補正対象項目名】０００９
【補正方法】変更
【補正の内容】
【０００９】
また、請求項３に係る本発明では、請求項１又は請求項２に記載の化粧板の剥落防止構造において、前記梁体は建屋の構造材に梁体吊設部を介して吊設されたものであり、同梁体吊設部は、前記断熱室の天井部を貫通する棒状体に対し、前記梁体上において離隔した位置に係止させていることに特徴を有する。
また、請求項４に係る本発明では、請求項１〜３いずれか１項に記載の化粧板の剥落防止構造において、前記架橋部材は、前記梁体の幅よりも長尺とした平坦部の左右両側を折曲させて形成した折曲部を有し、同架橋部材が前記棒状体を中心に梁体に対して回転するのを防止したことに特徴を有する。
【手続補正４】
【補正対象書類名】明細書
【補正対象項目名】００１０
【補正方法】変更
【補正の内容】
【００１０】
また、請求項５に係る本発明では、請求項１〜４いずれか１項に記載の化粧板の剥落防止構造において、前記断熱パネルの角部は、前記化粧板が予め一部切欠されており、露出した断熱材の面取りを行って前記座板に載置することに特徴を有する。
【手続補正５】
【補正対象書類名】明細書
【補正対象項目名】００１１
【補正方法】変更
【補正の内容】
【００１１】
また、請求項６に係る本発明では、請求項１〜５いずれか１項に記載の化粧板の剥落防止構造において、前記座板は平面視略円形であって、その円周縁部には少なくとも１／４円弧毎に切欠状のマーカが形成されていることに特徴を有する。
【手続補正６】
【補正対象書類名】明細書
【補正対象項目名】００１２
【補正方法】変更
【補正の内容】
【００１２】
請求項１に係る本発明によれば、断熱材の表面に化粧板が貼着された断熱パネルにより、前記化粧板を室内側に配向させて組み立てた断熱室の天井部における前記化粧板の剥落防止構造であって、前記天井部は、複数枚の前記断熱パネルを面状に配置して構成したものであり、前記天井部の上方に前記断熱パネルの目地に沿って梁体を配設し、同梁体に前記断熱パネルの目地の交点にて前記天井部を貫通する棒状体を垂設すると共に、同棒状体の下端に、前記断熱パネルの角部を載置して前記化粧板を下方より支持する座板を配設すると共に、前記梁体は、２本のリップ溝型鋼材のウェブ側同士を対向させて配置し、同ウェブ間に挿入されるスペーサー部と、同スペーサー部の両側に平坦部及び垂直部を介して設けられ前記リップ溝型鋼材のリップ部に係止されるよう形成した係止部とを備えたクリップ部材で、間隙を形成しつつ両鋼材を上下両方から挟持させて一体的に形成し、前記棒状体は、前記間隙に前記両鋼材との接触を避けて配設し、その上部を前記両鋼材間に架け渡した架橋部材に係止したため、火災が発生した場合であっても、天井部を構成する断熱パネルの室内側に配置された化粧板が、断熱室内に剥落してしまうことを可及的防止することのできる化粧板の剥落防止構造を提供することができる。また、断熱性の低下を可及的防止することができる。
また、請求項２に係る本発明によれば、前記リップ溝型鋼材は、長板状のウェブ部と、同ウェブ部の上下端部より略直角に折曲させて形成したフランジ部と、同フランジ部の先端をさらに略直角に折曲させて形成したリップ部とを備える一方、前記クリップ部材は、金属板の略中央部を凹型に折曲させて形成したスペーサー部と、同スペーサー部の左右に延設され前記フランジ部の幅と略同幅に形成した平坦部と、同平坦部の側端部から下方に向けて前記リップ部と略同じ長さに延設した垂直部と、同垂直部の先端を内方へ鋭角に折曲して形成した係止部と、を備える断面視略Ｍ字型に形成したものであり、前記梁体は、前記２本のリップ溝型鋼材のウェブ部間に前記クリップ部材のスペーサー部を挿入し、前記クリップ部材の前記垂直部を前記溝型鋼材のリップ部に沿うように配置して前記係止部を前記リップ部の端部に係止させ、前記垂直部に穿設したねじ穴を介して前記溝型鋼材のリップ部にネジを螺入することにより、前記２本のリップ溝型鋼材を前記クリップ部材にて一体的に構成したため、火災が発生した場合であっても、天井部を構成する断熱パネルの室内側に配置された化粧板が、断熱室内に剥落してしまうことを可及的防止することのできる化粧板の剥落防止構造を提供することができる。また、断熱性の低下を可及的防止することができる。
【手続補正７】
【補正対象書類名】明細書
【補正対象項目名】００１３
【補正方法】変更
【補正の内容】
【００１３】
また、請求項３に係る本発明によれば、前記梁体は建屋の構造材に梁体吊設部を介して吊設されたものであり、同梁体吊設部は、前記断熱室の天井部を貫通する棒状体に対し、前記梁体上において離隔した位置に係止させたため、断熱性の低下を可及的防止することができる。
また、請求項４に係る本発明によれば、前記架橋部材は、前記梁体の幅よりも長尺とした平坦部の左右両側を折曲させて形成した折曲部を有し、同架橋部材が前記棒状体を中心に梁体に対して回転するのを防止したため、火災が発生した場合であっても、天井部を構成する断熱パネルの室内側に配置された化粧板が、断熱室内に剥落してしまうことを可及的防止することのできる化粧板の剥落防止構造を提供することができる。
【手続補正８】
【補正対象書類名】明細書
【補正対象項目名】００１３
【補正方法】変更
【補正の内容】
【００１３】
また、請求項５に係る本発明によれば、前記断熱パネルの角部は、前記化粧板が予め一部切欠されており、露出した断熱材の面取りを行って前記座板に載置することとしたため、化粧板の剥落防止構造の施工を容易とすることができる。
【手続補正９】
【補正対象書類名】明細書
【補正対象項目名】００１４
【補正方法】変更
【補正の内容】
【００１４】
また、請求項６に係る本発明によれば、前記座板は平面視略円形であって、その円周縁部には少なくとも１／４円弧毎に切欠状のマーカを形成したため、断熱パネルを整然と配置することができ、また、棒状体を交点に可及的正確に配置させることができる。
【手続補正書】
【提出日】平成24年4月20日(2012.4.20)
【手続補正１】
【補正対象書類名】手続補正書
【補正対象項目名】手続補正８
【補正方法】変更
【補正の内容】
【手続補正８】
【補正対象書類名】明細書
【補正対象項目名】００１４
【補正方法】変更
【補正の内容】
【００１４】
また、請求項５に係る本発明によれば、前記断熱パネルの角部は、前記化粧板が予め一部切欠されており、露出した断熱材の面取りを行って前記座板に載置することとしたため、化粧板の剥落防止構造の施工を容易とすることができる。
【手続補正２】
【補正対象書類名】手続補正書
【補正対象項目名】手続補正９
【補正方法】変更
【補正の内容】
【手続補正９】
【補正対象書類名】明細書
【補正対象項目名】００１５
【補正方法】変更
【補正の内容】
【００１５】
また、請求項６に係る本発明によれば、前記座板は平面視略円形であって、その円周縁部には少なくとも１／４円弧毎に切欠状のマーカを形成したため、断熱パネルを整然と配置することができ、また、棒状体を交点に可及的正確に配置させることができる。